(57)【要約】【課題】  デジタルビデオカメラ、デジタルスチルカメラなど、着脱可能な記録メディアに情報を記録する機器において、記録メディアのタイトルを作成するのは、十分な入力環境がないために面倒であった。【解決手段】  記録メディアが着脱可能な記録再生装置において、記録しているメディアを交換する時に、次に挿入するメディアのタイトルを、現在挿入されている記録媒体のタイトルから作成し、次に挿入するメディアのタイトル候補を作成する。ユーザに対し、候補を選択するか、候補を元に編集するかを選択する選択編集手段を提供し、次の記録メディアのタイトルを容易に決定、及び記録できるようにする。【選択図】  図１
2005196822.tif 000002
【特許請求の範囲】
【請求項１】
記録媒体を着脱することが可能に構成され、前記着脱可能な記録媒体へアクセスする媒体アクセス手段を有する記録装置において、
前記第１の記録媒体を識別する第１の識別情報を、前記第１の記録媒体から抽出する識別情報抽出手段と、
前記第１の記録媒体に代えて第２の記録媒体が装填されたことに応じて、前記識別情報抽出手段により抽出された第１の識別情報に関連させて、前記第２の記録媒体を識別する第２の識別情報を生成する識別情報生成手段とを有することを特徴とする記録装置。
【請求項２】
前記識別情報生成手段により生成された第２の識別情報を前記第２の記録媒体へ記録する第１の識別情報記録手段を有することを特徴とする請求項１に記載の記録装置。
【請求項３】
ユーザが前記第２の識別情報を選択または編集して第３の識別情報を作成するための選択編集手段と、
前記選択編集手段により作成された第３の識別情報を前記第２の記録媒体へ記録する第２の識別情報記録手段とを有することを特徴とする請求項１または２に記載の記録装置。
【請求項４】
前記選択編集手段に関する設定をユーザが行なうことが可能であることを特徴とする請求項３に記載の記録装置。
【請求項５】
前記第１の識別情報記録手段または前記第２の識別情報記録手段に関する設定をユーザが行なうことが可能であることを特徴とする請求項２または３に記載の記録装置。
【請求項６】
前記第１の識別情報または前記第２の識別情報を、少なくとも不用になるまで保持する情報保持手段を有することを特徴とする請求項１〜５の何れか１項に記載の記録装置。
【請求項７】
前記媒体アクセス手段は、前記第１の記録媒体及び前記第２の記録媒体の両方にアクセス可能であることを特徴とする請求項１に記載の記録装置。
【請求項８】
前記第１の識別情報及び前記第２の識別情報は、各々の記録媒体のタイトルであることを特徴とする請求項１に記載の記録装置。
【請求項９】
前記第１の識別情報及び前記第２の識別情報は、ユニークな識別情報であり、インクリメンタルな数値がその情報の一部に含まれることを特徴とする請求項１に記載の記録装置。
【請求項１０】
前記識別情報生成手段は、前記第１の識別情報信号の一部を含むように、前記第２の識別情報信号を生成することを特徴とする請求項１に記載の記録装置。
【請求項１１】
記録媒体が着脱可能に構成され、前記着脱可能な記録媒体へアクセスする媒体アクセス手段を有する記録装置における記録方法において、
第１の記録媒体が装填された後に第２の記録媒体が装填される、記録媒体の交換時に、前記第１の記録媒体を識別する第１の識別情報を、前記第１の記録媒体から抽出する識別情報抽出処理と、
前記識別情報抽出処理により抽出された第１の識別情報に関連させて、前記第２の記録媒体を識別する第２の識別情報を生成する識別情報生成処理とを有することを特徴とする記録方法。
【請求項１２】
記録媒体が着脱可能に構成され、前記着脱可能な記録媒体へアクセスする媒体アクセス手段を有する記録装置における記録方法をコンピュータに実行させるプログラムにおいて、
第１の記録媒体が装填された後に第２の記録媒体が装填される、記録媒体の交換時に、前記第１の記録媒体を識別する第１の識別情報を、前記第１の記録媒体から抽出する識別情報抽出処理と、
前記識別情報抽出処理により抽出された第１の識別情報に関連させて、前記第２の記録媒体を識別する第２の識別情報を生成する識別情報生成処理とをコンピュータに実行させることを特徴とするコンピュータプログラム。
【請求項１３】
請求項１２に記載のコンピュータプログラムを記録したことを特徴とするコンピュータ読み取り可能な記録媒体。
【発明の詳細な説明】
【技術分野】
【０００１】
本発明は記録装置、記録方法、コンピュータプログラム及びコンピュータ読み取り可能な記録媒体に関し、特に、記録メディアの着脱が可能であり、画像、音声が記録再生可能な記録装置に関する。
【背景技術】
【０００２】
ビデオカメラやスチルカメラなどの画像や音声を記録する記録再生装置においては、記録情報の特性上、非常に情報量が多い。さらに、近年のデジタルカメラにおいては、撮影画素数が飛躍的に増大し、記録データ量がさらに大きくなる傾向にある。また、ビデオカメラの分野においても、ＳＤフォーマットから、ＨＤフォーマットへと移行するにあたり、ますます記録データ量が大きくなる傾向にある。
【０００３】
このように、記録データ量の増大化に伴い、記録メディアの記憶容量も増大しているものの、単一の記録メディアに対する記憶容量は限りがあり、記録を続行するために記録メディアの交換を迫られるケースが多々ある。
【０００４】
したがって、外見が類似する記録メディアをユーザは多数所有しなければならない。このような状況下において、ユーザが記録内容を確認するための手法として、記録メディアにタイトルを付けることは有効な手法である。何故ならば、タイトルを付加していると、記録内容の全てを再生しなくても、少ない情報で記録メディアを識別できるからである。
【０００５】
しかしながら、軽量化、コンパクト化、低価格化等が進んだ結果、記録メディアにタイトルを付加する作業は、デジタルビデオカメラ、デジタルスチルカメラなどの機器においては、十分な入力環境が得られない場合が多い。そのため、入力部分を極力簡略化し、尚且つユニークなタイトルを自動的に生成する手法が望まれている。
【０００６】
このような状況下、メディアのタイトルを自動生成する手法としては、パーソナルコンピュータで使用するCD-R/RWライティングソフトウェアにおいて、「日付＋時刻」をタイトルとする手法がある。また、タイトルの入力環境が十分でない機器において、ファイル名の重複を防ぎ、尚且つユニークなタイトルを自動生成する手法は、特許文献１の「情報記録装置」で紹介されている手法がある。
【０００７】
【特許文献１】特開平６―１５３１４０号公報
【発明の開示】
【発明が解決しようとする課題】
【０００８】
しかしながら、前述の様に従来自動生成されるタイトルは、完全に「日付＋時刻」のみであるため、ユーザが記録内容を識別するのは困難であった。また、タイトルの一部をユーザが指定することができる特許文献１に記載の発明においては、専用のメニュー画面からタイトルの編集をしなければならないため、操作が煩雑になる問題点があった。また、複数のユーザで装置を使用する場合には、ユーザごとに設定を行なわなければならないので、操作が面倒である問題点があった。
【０００９】
本発明は前述の問題点にかんがみ、記録メディアの識別情報を容易に決定して記録することが可能な記録装置を提供できるようにすることを第１の目的とする。
また、複数のユーザが機器を使用する場合においても、識別情報を作成する操作を簡略化し、ユーザの負担を軽減できようにすることを第２の目的とする。
【課題を解決するための手段】
【００１０】
本発明の記録装置は、記録媒体を着脱することが可能に構成され、前記着脱可能な記録媒体へアクセスする媒体アクセス手段を有する記録装置において、前記第１の記録媒体を識別する第１の識別情報を、前記第１の記録媒体から抽出する識別情報抽出手段と、前記第１の記録媒体に代えて第２の記録媒体が装填されたことに応じて、前記識別情報抽出手段により抽出された第１の識別情報に関連させて、前記第２の記録媒体を識別する第２の識別情報を生成する識別情報生成手段とを有することを特徴としている。
【００１１】
本発明の記録方法は、記録媒体が着脱可能に構成され、前記着脱可能な記録媒体へアクセスする媒体アクセス手段を有する記録装置における記録方法において、第１の記録媒体が装填された後に第２の記録媒体が装填される、記録媒体の交換時に、前記第１の記録媒体を識別する第１の識別情報を、前記第１の記録媒体から抽出する識別情報抽出処理と、
前記識別情報抽出処理により抽出された第１の識別情報に関連させて、前記第２の記録媒体を識別する第２の識別情報を生成する識別情報生成処理とを有することを特徴としている。
【００１２】
本発明のコンピュータプログラムは、記録媒体が着脱可能に構成され、前記着脱可能な記録媒体へアクセスする媒体アクセス手段を有する記録装置における記録方法をコンピュータに実行させるプログラムにおいて、第１の記録媒体が装填された後に第２の記録媒体が装填される、記録媒体の交換時に、前記第１の記録媒体を識別する第１の識別情報を、前記第１の記録媒体から抽出する識別情報抽出処理と、前記識別情報抽出処理により抽出された第１の識別情報に関連させて、前記第２の記録媒体を識別する第２の識別情報を生成する識別情報生成処理とをコンピュータに実行させることを特徴としている。
【００１３】
本発明の記録媒体は、前記に記載のコンピュータプログラムを記録したことを特徴としている。
【発明の効果】
【００１４】
本発明によれば、交換前の記録媒体の識別情報に関連した識別情報を作成することで、例えば連続したシーンでのタイトルの入力の手間を軽減することができる。また、第２の記録媒体の識別情報は、第１の記録媒体の識別情報に関連するため、第１の記録媒体識別情報は、例えば入力環境が整っている別の記録装置にて作成することが可能であり、識別情報のみを他の記録装置で作成し、インポートすることが可能である。一度、事前準備しただけで、次の第２の記録媒体への交換では、関連した識別情報を容易に作成することができため、操作性が向上する。また、複数のユーザで使用する場合においても、ユーザごとに記録媒体を分けることにより、煩雑な設定操作を省略することができる。
【００１５】
また、本発明の他の特徴によれば、識別情報を記録媒体に記録するようにしたので、記録装置内に記録を残す必要がなく、装置のリソースを有効に活用することができる。
また、本発明のその他の特徴によれば、記録媒体交換時にユーザが記録メディアの識別情報を選択編集することが可能な選択編集手段を設けたので、識別情報を即座に編集することが可能となり、操作性を大幅に向上させることができる。
また、本発明のその他の特徴によれば、選択編集手段に関する設定をユーザが行なうことができるようにしたので、例えば自動生成された識別情報しか使用しない場合において、毎回選択編集手段の発生すると煩わしいため、禁止設定にすることなどをユーザが自由に設定することが可能となり、記録媒体交換時に行なう手間を軽減できるようにする設定を事前に行なうことが可能となり、操作性を向上させることができる。
また、本発明のその他の特徴によれば、第１の識別情報記録手段または前記第２の識別情報記録手段に関する設定をユーザが行なうことができるようにしたので、識別情報を記録媒体へ記録したくない場合において、機能を禁止設定にしておくなどの設定を自由に行なうことが可能となり、意図しない識別情報が記録されてしまうことを防止することができ、操作性を向上させることができる。
また、本発明のその他の特徴によれば、少なくとも不用になるまで第１の識別情報を保持しておくことができるようにしたので、第１の記録媒体を除去した後も第２の識別情報を作成することが可能であり、第１の記録媒体を素早く取り出すことができ、記録媒体を交換時の操作性を向上させることができる。
また、本発明のその他の特徴によれば、単一のアクセス手段で記録媒体へアクセスするため、少ないハードウェア構成にて、記録装置を構成できることから、装置の小型化や、低価格化が可能である。
また、本発明のその他の特徴によれば、識別情報を記録媒体のタイトルとするようにしたので、ユーザが記録内容を識別しやすくなり、管理をし易くすることができる。
また、本発明のその他の特徴によれば、識別情報をインクリメンタルな数値を含めるようにしたので、識別情報を作成するアルゴリズムを簡略化することができ、設計が容易になるとともに、ユーザにとっても、記録の順序を識別しやすくできて、管理をし易くすることができる。
また、本発明のその他の特徴によれば、第２の識別情報に第１の識別情報の一部を含めるようにしたので、識別情報を作成するアルゴリズムを簡略化することができ、設計が容易になるとともに、ユーザにとっても、記録の関連を識別しやすくできて、管理をし易くすることができる。
【発明を実施するための最良の形態】
【００１６】
以下、図面を参照して、本発明の記録装置、記録方法、コンピュータプログラム及びコンピュータ読み取り可能な記録媒体の実施の形態を説明する。
図１は、本発明の適用例を示し、記録メディアに光学ディスクを有するデジタルビデオカメラである。
【００１７】
図１に示したように、カメラ制御部５は、カメラユニット６のフォーカス制御、ズーム制御、アイリス制御、撮影素子の制御等の駆動制御を行う回路群で構成される。撮影時において、デジタル化された撮影データは、画像処理部３へ送られる。
【００１８】
画像処理部３において画像処理された後のデジタル化されて圧縮処理された画像データは、記録媒体である光学ディスク９へ記録保存される。そして、再生時には、前記光学ディスク９から読み出されたデジタルデータを、画像処理部３で伸長した後、表示部４へ表示する。
【００１９】
光学ディスク９は、メカ制御部１０で制御される。メカ制御部１０は、データ書き込み読み出し用のピックアップ８、不図示のスピンドルモータ、光学ディスクローディング用のローディングローラ７等を制御する。尚、本発明の形態では、光学ディスク９のローディングをシステム制御部１が制御するため、ユーザが不用意にディスクを取り出すことのできないスロットイン方式にて説明を行っている。
【００２０】
システム制部１は、制御マイコン１ａや、プログラム格納用の不図示のＲＯＭ、主記憶装置として不図示のＲＡＭ等から構成されている。ＲＡＭは、光学ディスク９の情報等を一時的にバックアップするワークエリアが存在する。ユーザは、操作部２を通して、機器を操作することができる。撮影した画像や、再生画像、システムの状態は、表示部４にて確認できる。時計１１は、インクリメントカウンタであり、年月、時刻をシリアルデータで表現できる。
【００２１】
図７に、本実施の形態の記録メディア（ディスク）１００の記録フォーマットの一例を示す。媒体の識別情報である「ディスクタイトル１０１」は、ディスクがローディングされると即座に読み出される必要があるため、ディスク管理領域などが記録されている、ディスクの外周などの高速アクセスが可能な領域へ記録されているのが望ましい。タイトル以外には、カテゴリなどの付加情報が記録されている領域と、画像などのデータが記録されている領域に分類される。
【００２２】
図２〜図６へ実施の形態における制御マイコン１ａのフローチャートを示す。
図２のフローチャートにおいて、ユーザが撮影のため、操作部２の中にある不図示のモードスイッチを操作し、撮影モードへ切り替えると、制御マイコン１ａは処理を開始（ステップＳ００１）して、記録待機状態（Rec Pause）（ステップＳ００２）へと遷移し、ユーザからの記録開始要求待ち状態（ステップＳ００３、ステップＳ００４）となる。
【００２３】
そして、ユーザが操作部２の中にある不図示の記録トリガを押下すると、制御マイコン１ａはユーザからの記録開始要求があったと判断し、図３のステップＳ１００へと遷移する。
【００２４】
図３に、記録中の制御マイコン１ａのフローチャートを示す。
記録が開始（ステップＳ１０１）すると、制御マイコン１ａは、ユーザの記録要求をチェックし（ステップＳ１０２）、ユーザからの記録終了要求（ステップＳ１０３）がないと、ディスクの残量をチェックする（ステップＳ１０４）。そして、ディスクの残量の多少を判断し（ステップＳ１０５）、残量が少ない場合には記録を停止（ステップＳ１０６）し、残量が多い場合にはステップＳ１０２に戻って記録を続ける。
【００２５】
ユーザが操作部２の記録トリガを再度押下すると、制御マイコン１ａは操作を検出し、再び記録待機状態へと遷移（ステップＳ０００)する。また、記録エリアの残力が少なくなると、記録を停止（ステップＳ１０６）し、リンク作成選択状態へと遷移する。
【００２６】
図４に、記録継続選択状態の制御マイコン１ａの動作を説明するフローチャートを示す。記録中にディスクの画像記録エリアの残量がなくなった場合、図８の２００に示すメッセージ「ディスクがいっぱいです２０１」を表示部４へ表示する（ステップＳ２０２）。
次に、ユーザが「続けて記録（２０２）」または「記録を終了する（２０３）」のどちらかを、操作部２を用いて選択を行なう。
【００２７】
制御マイコン１ａは、ユーザによる選択が行われるまでは、入力待ち状態（ステップＳ０３、ステップＳ２０４）になる。ユーザ選択が、「続けて記録する（２０２）」を選択した場合は、タイトル記録禁止設定の状態を判定し、無効（禁止されていない状態）である場合は、タイトル作成開始（ステップＳ３００）へと遷移する。
【００２８】
次に、ステップＳ２０５の記録を継続するか否かの判定において、「記録を終了する」を選択した場合は、記録を終了する（ステップＳ２０７）。また、ステップＳ２０６においてタイトル記録禁止設定が行なわれているか否かの判定を行なう。この判定の結果、タイトル記録禁止設定が有効になっていない場合には図５のステップＳ３００へ遷移し、有効になっている場合には、図５のステップＳ４００へ遷移する。
【００２９】
図６に、次にディスクのタイトル作成時の、制御マイコン１ａの動作の一例を説明するフローチャートを示す。
ステップＳ３１０でタイトル作成が開始されると、先ず、現在挿入されているディスクのタイトル文字列を分割し、構文解析を行なう（ステップＳ３１１）。現在のタイトルの接尾語が数値の場合は、接尾語に１を付加した数値で接尾語を更新し、次のディスクのタイトル候補として、メモリへ保存する。
【００３０】
次に、ステップＳ３１２において、接尾語が数値であるか否かを判定する。この判定の結果、接尾語が数値でないものに対しては、新たに接尾語を１として付加したもので、次のディスクのディスクタイトルの候補を作成する（ステップＳ３１４）。
また、ステップＳ３１２の判定の結果、接尾語が数値である場合にはステップＳ３１３に進み、接尾語をインクリメントして次のディスクのタイトル候補を作成する。
次に、ステップＳ３１５において、前記ステップＳ３１４及びステップＳ３１５で作成した次のディスクのタイトル候補を表示する。
【００３１】
次に、ステップＳ３２１において、タイトル編集禁止設定をチェックし、禁止設定が無効（禁止されていない状態）の場合は、図８の２０４に示すメッセージ「次ディスクのタイトルを決めてください（２０５）」を表示部４へ表示し、候補を２０６へ表示するとともに、ユーザへ「タイトル編集（２０８）」、「ＯＫボタン（２０７）」機能とともに選択手段を提供する。
【００３２】
ユーザがタイトルを決定するまでは、入力待ち状態（ステップＳ３１６、ステップＳ３１７）となり、ユーザが選択したときにはステップＳ３１８に進んで、次ディスクのタイトル候補を採用するか否かを判断する。この判断の結果、タイトル編集を選択した場合はタイトルを編集し（ステップＳ３１９）、候補を採用した場合は、候補のタイトルにて、次のディスクのディスクタイトルを決定して作成処理を終了する（ステップＳ３２０）。
【００３３】
一方、ステップＳ３２１の判定において、タイトル編集禁止設定が有効の場合ステップＳ３２２、ステップＳ３２３に進み、図９の２１４に示す「次ディスクのタイトル（２１５）」のようなメッセージを表示部４へ表示し、自動生成された「タイトル（２１６）」へ表示し、ディスクタイトル作成の処理を終了する。
【００３４】
ここで、次のディスクタイトルの候補を作成する方法については、例えば特許文献１に示されるように、タイトルの一部に日時情報を含めると、より容易にユニークなタイトル作成が可能である。本実施の形態では、接尾語をインクリメントして次のディスクタイトルの候補を作成するため、特許文献１に記載の発明と組み合わせる場合は、日時を含む情報は、接頭語として付加すると、より容易な設計が可能である。
【００３５】
図５に、ディスク交換時の制御マイコン１ａの動作例を説明するためのフローチャートを示す。先ず、前述した処理にて、次ディスクのディスクタイトルを決定する（ステップＳ３０１）。
【００３６】
次に、制御部内のＲＡＭへ、ディスクタイトルのバックアップ（ステップＳ３０３）を行なう。そして、ディスクタイトルのバックアップが終了すると、ローディングローラ７にて、光学ディスク９をアンロード（ステップＳ３０４）し、図８の２０９に示す「次ディスクを挿入してください（２１０）」のようなメッセージを、「キャンセルボタン（２１１）」とともに、表示部４へ表示する（ステップＳ３０５）。
【００３７】
ここで、ユーザが次の光学ディスク９を挿入するまで、入力待ち（ステップＳ３０６）となる。ユーザは新しい光学ディスク９をローディング部へ挿入すると、制御マイコン１ａはローディングローラ７の回転を検出するか、または不図示のセンサが光学ディスク９の挿入を検出するなどの方法を用いて光学ディスク９の挿入検出を行なう。そして、光学ディスク９が挿入されたことを検出すると、制御マイコン１ａは新しい光学ディスク９のローディングを行なう（ステップＳ３０７）。
【００３８】
光学ディスク９のローディングが完了すると、タイトル記録禁止設定をチェックし（ステップＳ３０８）、設定が無効であれば（禁止されていない状態）、光学ディスク９のタイトルが既に記録されていないかチェックを行なう（ステップＳ３１０）。
【００３９】
ステップＳ３１０のチェックの結果、光学ディスク９のタイトルが記録されていない場合は、ステップＳ３０１で決定した光学ディスク９のタイトルを、新しい光学ディスク９の所定の領域へ記録する（ステップＳ３０９）。そして、再び記録待機状態（図２の状態）へ遷移する。
【００４０】
一方、ステップＳ３０８の判定において、タイトル記録禁止設定が有効の場合は、新しい光学ディスク９へディスクタイトルを記録せず、再び記録待機状態（図２）へ遷移する。
また、ステップＳ３１１の判定において、挿入された光学ディスク９にタイトルが既に記録されている場合、図８において符号２１９で示すメッセージを表示部４へ表示し（ステップＳ３１２）、上書きしても良いかユーザへ問い合わせる（ステップＳ３１３）。
【００４１】
図８の符号２２２で示す「新規タイトル旅行」をユーザが選択した場合、上書きしても良いと判定し、ステップＳ３０１で決定したディスクタイトルを、新しい光学ディスク９の所定の領域へ記録する（ステップＳ３０９）。
【００４２】
前記のフローチャートでは省略したが、光学ディスク９を交換する場合において、図７に示す「カテゴリ１０２」、「画像１０５」などの情報を、次の光学ディスク９のカテゴリへコピーすることも可能である。また、「カテゴリ１０２」以外にも、ディスク内部へユーザ毎の機器の設定情報を記録するエリアを設けることにより、次光学ディスク９の機器の設定情報を記録するエリアへコピーすることも可能である。
【００４３】
（本発明の他の実施の形態）
上述した実施の形態の機能を実現するべく各種のデバイスを動作させるように、上記各種デバイスと接続された装置あるいはシステム内のコンピュータに対し、上記実施の形態の機能を実現するためのソフトウェアのプログラムコードを供給し、そのシステムあるいは装置のコンピュータ（ＣＰＵあるいはＭＰＵ）に格納されたプログラムに従って上記各種デバイスを動作させることによって実施したものも、本発明の範疇に含まれる。
【００４４】
また、この場合、上記ソフトウェアのプログラムコード自体が上述した実施の形態の機能を実現することになり、そのプログラムコード自体、およびそのプログラムコードをコンピュータに供給するための手段、例えば、かかるプログラムコードを格納した記録媒体は本発明を構成する。かかるプログラムコードを記録する記録媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。
【００４５】
また、コンピュータが供給されたプログラムコードを実行することにより、上述の実施の形態の機能が実現されるだけでなく、そのプログラムコードがコンピュータにおいて稼働しているＯＳ（オペレーティングシステム）あるいは他のアプリケーションソフト等と共同して上述の実施の形態の機能が実現される場合にもかかるプログラムコードは本発明の実施の形態に含まれる。
【００４６】
さらに、供給されたプログラムコードがコンピュータの機能拡張ボードやコンピュータに接続された機能拡張ユニットに備わるメモリに格納された後、そのプログラムコードの指示に基づいてその機能拡張ボードや機能拡張ユニットに備わるＣＰＵ等が実際の処理の一部または全部を行い、その処理によって上述した実施の形態の機能が実現される場合にも本発明に含まれる。
【図面の簡単な説明】
【００４７】
【図１】実施の形態のシステム構成例を示すブロック図である。
【図２】実施の形態における、記録待機状態の制御マイコンの動作を説明するフローチャートである。
【図３】実施の形態における、記録中の制御マイコンの動作を説明するフローチャートである。
【図４】実施の形態における、記録継続選択状態の制御マイコンの動作を説明するフローチャートである。
【図５】実施の形態における、ディスク交換時の制御マイコンの動作を説明するフローチャートである。
【図６】実施の形態における、次にディスクのタイトル作成時の制御マイコンの動作を説明するフローチャートである。
【図７】実施の形態の記録メディアのフォーマット例を示す図である。
【図８】実施の形態における、表示部における第１の表示例を示す図である。
【図９】実施の形態における、表示部における第２の表示例を示す図である。
【符号の説明】
【００４８】
１  システム制御部
１ａ  制御マイコン
２  操作部
３  画像処理部
４  表示部
５  カメR制御部
６  カメラユニット
７  ローディングローラ
８  ピックアップ
９  光学ディスク
１０  メカ制御部
１１  時計
【図１】
2005196822.tif 000003
【図２】
2005196822.tif 000004
【図３】
2005196822.tif 000005
【図４】
2005196822.tif 000006
【図５】
2005196822.tif 000007
【図６】
2005196822.tif 000008
【図７】
2005196822.tif 000009
【図８】
2005196822.tif 000010
【図９】
2005196822.tif 000011